(57)【要約】【課題】露光むらを生じさせることなくシャッタ速度を遅くする蹴飛ばし式のシャッタ装置を提供する。【解決手段】夜景撮影モードでは、遅延レバー６０が時計方向に付勢され、先端部６０ａが扇状突起３２ｃの円弧状面３２ｄに当接される。レリーズ操作によりシャッタ駆動レバー４５の蹴飛ばしアーム４５ａが爪部３２ａを蹴飛ばすと、シャッタ羽根３２は時計方向に回動して露光開口３１ａを開放する。この直後に先端部６０ａが溝３２ｅに入り込み、シャッタ羽根３２の戻り動作を阻止する。ガバナ機構によりシャッタ駆動レバー４５の回動開始からほぼ一定時間経過後に遅延解除レバーがピン６０ｂを押して遅延レバー６０を反時計方向に回転させ、先端部６０ａが扇状突起３２ｃとの係合位置から待避し、シャッタ羽根３２が露光開口３１ａを閉じる。【選択図】　　　　図７
2004069781.tif 000002
【特許請求の範囲】
【請求項１】
露光開口を閉じる方向に付勢され、露光開口を開閉するシャッタ羽根と、シャッタレリーズ操作に応動してシャッタ羽根を付勢に抗して蹴飛ばすことにより露光開口を開閉するシャッタ駆動部材とからなる蹴飛ばし式のシャッタ装置において、
前記シャッタ羽根が露光開口を開いた状態でシャッタ羽根を係止してシャッタ羽根による露光開口の閉じ動作を阻止する閉動作阻止手段と、前記シャッタ羽根が蹴飛ばされてから所定の遅延時間経過後に閉動作阻止手段によるシャッタ羽根の係止を解除して露光開口の閉じ動作を許容する閉動作許容手段とを設けたことを特徴とするシャッタ装置。
【請求項２】
シャッタレリーズ操作に応動するシャッタ駆動部材によって蹴飛ばされる被蹴飛ばし部材と、露光開口を閉じる方向に付勢され、被蹴飛ばし部材の蹴飛ばし動作に連動して露光開口を開閉するシャッタ羽根とからなる蹴飛ばし式のシャッタ装置において、
前記シャッタ羽根が露光開口を開いた状態で被蹴飛ばし部材の動きを止めてシャッタ羽根による露光開口の閉じ動作を阻止する閉動作阻止手段と、前記被蹴飛ばし部材が蹴飛ばされてから所定の遅延時間経過後に閉動作阻止手段による露光開口の閉じ動作阻止を解除する閉動作許容手段とを設けたことを特徴とするシャッタ装置。
【請求項３】
前記閉動作阻止手段による露光開口の閉じ動作阻止を禁止して遅延なくシャッタ羽根による露光開口の開閉を行う遅延禁止手段を設けたことを特徴とする請求項１または２記載のシャッタ装置。
【請求項４】
前記遅延禁止手段に連動し、露光開口の閉じ動作阻止が禁止されている状態では露光開口の開口面積を狭める絞りを撮影光軸に挿入し、露光開口の閉じ動作阻止が許容されている状態では前記絞りの代わりに所定のフィルタを撮影光軸に挿入する絞り／フィルタ挿入手段を設けたことを特徴とする請求項３記載のシャッタ装置。
【発明の詳細な説明】
【０００１】
【発明の属する技術分野】
本発明は、露光むらを生じさせることなくシャッタ速度を遅くすることができる蹴飛ばし式のシャッタ装置に関する。
【０００２】
【従来の技術】
レンズ付きフイルムユニット等の簡易なカメラでは、徹底したローコスト化のためにいわゆる蹴飛ばし式と呼ばれるシャッタ装置が採用されている。蹴飛ばし式のシャッタ装置は、回動式のシャッタ羽根を復帰バネで露光開口を閉じる初期位置に付勢し、これを付勢方向と反対の方向に蹴飛ばすことでシャッタ羽根を往復回動させて、露光開口の開閉を行う。
【０００３】
簡易なカメラは、シャッタ装置のシャッタ速度が１／１００秒〜１／１５０秒に設定されており、撮影レンズの絞りはＦ８〜Ｆ１１の固定絞りになっている。これは、写真フイルムがＩＳＯ４００の場合、適正輝度がＬＶ１１程度になって、日中屋外の光量がＬＶ１０（曇天）〜１５（快晴）程度であるのに対し、やや露光オーバーの設定であるが、ネガフイルムの場合は露光オーバー側にラチチュードが広いためである。
【０００４】
そして、夜景撮影のように撮影光量が不足する撮影条件下では、内蔵したストロボ装置を駆動してストロボ撮影を行う。ところが、このストロボ撮影では、カメラから２〜３ｍに位置する人物等はストロボ光が当たって適正露光になるが、背景はストロボ光が届かず、また光量がＬＶ６〜７程度であるから、適正露光との差が４〜５ＥＶ程度になってほぼ真っ黒につぶれる。このため、きわめて不自然な写真になる。
【０００５】
前記４〜５ＥＶの差を絞りの変更によって適正露光にしようとすると、絞りがＦ１．４〜Ｆ２．８となる。すなわち、撮影レンズ自体がこの明るさをもつ必要が生じ、ローコストなカメラでは実現不可能である。しかも、被写界深度が浅くなるため、ピント合わせや画質の面で問題が生じる。被写界深度については、焦点調整ができない簡易なカメラでは、例えば撮影レンズの焦点距離が３５ｍｍの場合、少なくともＦ５．６程度は必要となる。したがって、シャッタ速度を遅くする必要がある。
【０００６】
ストロボ撮影時のシャッタ速度を通常撮影時より遅くすることができるレンズ付きフイルムユニットが特開２００１−２２０３５号公報に記載されている。このレンズ付きフイルムユニットは、ストロボ撮影時にシャッタ羽根の復帰バネのテンションを切り替えて通常撮影時よりも弱めることにより、通常撮影時のシャッタ速度が１／１５０秒であるところを１／６０秒にまで遅くしている。また、シャッタ速度を遅くするには、シャッタ羽根開閉にガバナ機構により遅延をかける方法もある。
【０００７】
【発明が解決しようとする課題】
シャッタ速度を遅くする手段としては、比較的ローコストなカメラにおいてもプランジャー等の電気的な手段を用いており、レンズ付きフイルムユニット等の簡易なカメラでは、採用できない。また、上記公報では、ストロボ撮影時にシャッタ速度を１／６０秒にまで遅くしているが、ＬＶ６〜７程度の夜景撮影に対応するには１／６０秒でも不足である。同じ方法で更にシャッタ速度を遅くするには、ストロボ撮影時に復帰バネのテンションを更に弱くすることになるが、蹴飛ばしによる露光開口の開き速度は通常撮影時とほとんど変わらなくても、復帰バネによるシャッタ羽根の戻り速度は遅くなるため、露光開口の閉じ速度は大幅に遅くなり、フイルムの露光画面内で光量差が生じる。また、上記ガバナ機構によるスローシャッタは、やはりシャッタ羽根の開き速度より閉じ速度が大幅に遅くなるため、フイルムの露光画面内で光量差が生じる。
【０００８】
本発明は、ローコストで露光むらを生じさせることなくシャッタ速度を遅くすることができる蹴飛ばし式のシャッタ装置を提供することを目的とする。
【０００９】
【課題を解決するための手段】
上記目的を達成するために、本発明のシャッタ装置は、露光開口を閉じる方向に付勢され、露光開口を開閉するシャッタ羽根と、シャッタレリーズ操作に応動してシャッタ羽根を付勢に抗して蹴飛ばすことにより露光開口を開閉するシャッタ駆動部材とからなる蹴飛ばし式のシャッタ装置において、前記シャッタ羽根が露光開口を開いた状態でシャッタ羽根を係止してシャッタ羽根による露光開口の閉じ動作を阻止する閉動作阻止手段と、前記シャッタ羽根が蹴飛ばされてから所定の遅延時間経過後に閉動作阻止手段によるシャッタ羽根の係止を解除して露光開口の閉じ動作を許容する閉動作許容手段とを設けたものである。
【００１０】
また、シャッタレリーズ操作に応動するシャッタ駆動部材によって蹴飛ばされる被蹴飛ばし部材と、露光開口を閉じる方向に付勢され、被蹴飛ばし部材の蹴飛ばし動作に連動して露光開口を開閉するシャッタ羽根とからなる蹴飛ばし式のシャッタ装置において、前記シャッタ羽根が露光開口を開いた状態で被蹴飛ばし部材の動きを止めてシャッタ羽根による露光開口の閉じ動作を阻止する閉動作阻止手段と、前記被蹴飛ばし部材が蹴飛ばされてから所定の遅延時間経過後に閉動作阻止手段による露光開口の閉じ動作阻止を解除する閉動作許容手段とを設けたものである。
【００１１】
また、前記閉動作阻止手段による露光開口の閉じ動作阻止を禁止して遅延なくシャッタ羽根による露光開口の開閉を行う遅延禁止手段を設けたものである。また、前記遅延禁止手段に連動し、露光開口の閉じ動作阻止が禁止されている状態では露光開口の開口面積を狭める絞りを撮影光軸に挿入し、露光開口の閉じ動作阻止が許容されている状態では前記絞りの代わりに所定のフィルタを撮影光軸に挿入する絞り／フィルタ挿入手段を設けたものである。
【００１２】
【発明の実施の形態】
本発明のシャッタ装置を用いた簡易なカメラ１０を示す図１において、カメラ本体１１の前面には、撮影レンズ１２，対物側ファインダ窓１３，ストロボ発光部１４，モード切替えつまみ１５，レンズバリア開閉ノブ１６が設けられている。また、カメラ本体１１の上面には、シャッタボタン１７，撮影コマ数を表示するカウンタ窓１８，充電完了表示窓１９，巻戻し用回転クランク２０が設けられている。さらに、カメラ本体１１の背面側には、１コマの撮影ごとに回転操作される巻上げダイヤル２１，接眼側ファインダ窓及びフイルム装填時に開閉される裏蓋（図示せず）が設けられている。
【００１３】
モード切替えつまみ１５は、通常撮影モードからストロボ撮影モードや夜景撮影モードに切り替える際に操作され、カバー２２に形成された凹部２２ａ内にて、上方に移動させるとストロボ撮影モード，この位置から更に右旋回させると夜景撮影モードに切り替えることができる。ストロボ撮影モード及び夜景撮影モードでは、カメラ本体１１に内蔵されたストロボ装置２３（図２参照）が継続して充電される。ストロボ装置２３の充電完了時には、発光ダイオードが点灯し、撮影者は充電完了表示窓１９を通してこれを確認することができる。充電完了後に、シャッタボタン１７を押すと、シャッタの作動と同時にストロボ発光部１４からストロボ光が照射される。
【００１４】
図２に示すように、カメラ本体１１内には、本体基部２５が設けられている。本体基部２５には、写真フイルムパトローネのパトローネ本体を装填するパトローネ室２５ａとフイルム巻取り室２５ｂとが形成され、これらの中間部には、アパーチャ２５ｃと暗箱２５ｄが形成されている。また、パトローネ室２５ａの上方には、ストロボ装置２３が取り付けられる。
【００１５】
フイルム巻取り室２５ｂの上方には、巻上げダイヤル２１が回動自在に配置され、その下部にフイルム巻取り室２５ｂ内の巻取り軸が一体的に取り付けられている。巻上げダイヤル２１を図中反時計方向に回動させることにより、パトローネ本体から引き出された写真フイルムを巻取り軸に巻き付けてフイルム巻取り室２５ｂ内に巻き上げる。なお、本実施形態では写真フイルムはＩＳＯ４００のネガフイルムを用いる。
【００１６】
前記暗箱部２５ｄの上部には、写真フイルムのパーフォレーションに係合されるスプロケット２８が挿通される開口部２５ｅと遮光用の筒２５ｆが形成されている。なお、スプロケット２８の内部には、スプロケット２８の回転を一方向に規制するクラッチ２９が組み込まれている。
【００１７】
暗箱部２５ｄには、シャッタユニット３０が取り付けられる。このシャッタユニット３０は、シャッタチャージ機構等が組み込まれ、前部に露光開口３１ａが形成されたたシャッタ基部３１と、この前部に回動自在に取り付けられ、露光開口３１ａを開閉するシャッタ羽根３２，仕切り板３３，絞り板３４，シャッタカバー３５，前記撮影レンズ１２が組み込まれたレンズユニット３６，シンクロスイッチ３７からなる。前記仕切り板３３はシャッタ羽根３２と絞り板３４との間に、これらが干渉しないように設けられており、撮影光路には円形開口３３ａが形成されている。
【００１８】
前記モード切替えつまみ１５の背後には、これに連動して上下方向に移動されるモード切替え板３８が設けられている。このモード切替え板３８には長孔３８ａが形成され、これにパトローネ室２５ａの壁面に形成された一対のボス２５ｇ，２５ｈが挿通して、モード切替え板３８が上下方向に移動自在にされている。また、モード切替え板３８の側部には、小さい突起３８ｂが形成され、パトローネ室２５ａの壁面に形成された突起２５ｉとの間にクリックストップ機構を構成する。なお、突起３８ｂの近傍には、これに弾性を与える長孔３８ｃが形成してある。
【００１９】
モード切替え板３８の上方には、絞り切替えレバー３９が配置され、モード切替え板３８の上昇により、モード切替え板３８の水平方向に突出形成された弾性レバー３８ｄが絞り切替えレバー３９の棒状突起３９ａに係合して、これを押し上げる。これにより、絞り切替えレバー３９が反時計方向に回動される。
【００２０】
絞り切替えレバー３９には、絞り板３４が係合しており、絞り切替えレバー３９の回動に伴って絞り板３４が回動し、絞り板３４の先端部に形成された絞り開口３４ａが撮影レンズ１２の撮影光軸Ｌ内に挿脱される。なお、露光開口３１ａのみによる撮影絞りはＦ５．６であり（夜景撮影モード）、絞り開口３４ａを撮影レンズ１２の撮影光軸Ｌ内に挿入した状態では、撮影絞りはＦ８になる（通常撮影モード及びストロボ撮影モード）。また、絞り切替えレバー３９のギア部３９ｂには、後述するシャッタ速度切替えレバー４０のギア部４０ａが噛合している。
【００２１】
レンズバリア開閉ノブ１６の背面に形成されたボス１６ａが、撮影モードリセットレバー４１の孔４１ａに挿通されている。レンズバリア開閉ノブ１６をこれと一体的に固定されたレンズバリア４２の閉じ方向へ水平方向にスライド移動すると、撮影モードリセットレバー４１も水平方向にスライド移動して、撮影モードリセットレバー４１のテーパー状に形成された先端部４１ｂが、モード切替え板３８の下部に斜めに形成された傾斜バー３８ｅのローラ部３８ｆに係合するから、モード切替え板３８を下方に引き戻す。これにより、ストロボ装置２３の充電スイッチ２３ａ（図１５〜１８参照）がオフになって電源のムダな消耗が防止できる。
【００２２】
シャッタチャージ状態におけるシャッタユニット３０の基本的な構成を示す図３〜図５において、シャッタ羽根３２は、シャッタ基部３１に形成されたピン３１ｂに回動自在に取り付けられている。また、シャッタ羽根３２は、コイルバネ４４により反時計方向に付勢され、露光開口３１ａを塞ぐ初期位置に保持されている。
【００２３】
シャッタ基部３１の上部には、撮影時にシャッタ羽根３２を蹴飛ばして露光開口３１ａを開閉するシャッタ駆動レバー４５と、これをチャージ位置に係止する係止レバー４６と、スプロケット２８と同軸に設けられ、フイルム搬送に伴ってシャッタ駆動レバー４５と、後述するガバナレバー５２（図９，図１０参照）とをチャージ位置にセットするセットカム４７とが設けられている。
【００２４】
シャッタ駆動レバー４５には、シャッタ羽根３２の爪部３２ａを蹴飛ばすための蹴飛ばしアーム４５ａ，セットカム４７の半円板４８と当接するフック４５ｂ，係止レバー４６に設けられた突起４６ａと当接する突起４５ｃ，後述するガバナ機構のガバナレバー５２の突起５２ａに係合する下面に設けられた突起４５ｄ及びガバナレバー５２の軸部に当接して蹴飛ばし後の位置を規定する突起４５ｅが形成されている（図９参照）。また、突起４５ｃの後部には、シャッタ駆動レバー４５を図５の反時計方向に付勢するトーションバネ５１の一方の端５１ａが係合している。
【００２５】
係止レバー４６には、係止爪４６ａ，突起４６ｂ，レリーズ部４６ｃ，巻止め部４６ｄが形成され、シャッタ基部３１の上部に設けられた軸に回動自在に取り付けられる。この係止レバー４６は、トーションバネ（図示せず）により図中時計回りに付勢されている。係止レバー４６の突起４６ｂは、シャッタ駆動レバー４５の突起４５ｃと当接して、シャッタ駆動レバー４５をチャージ位置に保持する。
【００２６】
係止爪４６ａは変形円板５５の切欠き５５ａに入り込むように設けられている。巻止め部４６ｄは、シャッタ駆動レバー４５が図中時計回りに回転したときに巻上げダイヤル２１の外周部に形成された溝２１ａと係合して巻上げダイヤル２１の回動をロックする。レリーズ部４６ｃはシャッタボタン１７が押圧されると、シャッタボタン１７の下部に形成された押圧片（図示せず）により押圧され、係止レバー４６が図中反時計回りに回転する。
【００２７】
セットカム４７には、変形円板５５と、その下方に半円板４８，更に下方に別の半円板４９が設けられている。変形円板５５には、前述のように、係止レバー４６の係止爪４６ａを受け入れる切欠き５５ａが形成されている。半円板４８は、その外周にシャッタ駆動レバー４５のフック４５ｂが当接する。また、半円板４９は、その外周にガバナレバー５２のフック５２ｂが当接する。また、変形円板５５の上部には、カウンタ窓１８から撮影コマ数を表示するカウンタ板（図示せず）を回転させる一歯ギア５６が設けられている。
【００２８】
シャッタ羽根３２は、コイルバネ４４によって図中反時計方向に付勢されており、通常は露光開口３１ａを塞ぐ初期位置に保持されている。撮影時にはシャッタボタン１７の押圧に連動して動作するシャッタ駆動レバー４５により爪部３２ａが蹴飛ばされ、図中時計方向に回動して露光開口３１ａを開放する。この後、コイルバネ４４の付勢によってシャッタ羽根３２は初期位置に戻る。シャッタ羽根３２の棒状突起３２ｂは、前記シンクロスイッチ３７（図２参照）を露光開口３１ａの開放と同時にオンさせる。
【００２９】
図７において、シャッタ羽根３２には、爪部３２ａの近傍に、扇状突起３２ｃが形成されている。この扇状突起３２ｃの円弧状面３２ｄは、シャッタ羽根３２の回動軌道に沿った円弧になっている。また、爪部３２ａと扇状突起３２ｃとの間には、溝３２ｅが設けられている。そして、扇状突起３２ｃに対峙する位置には、セットカム４７と同軸に閉動作阻止手段としての遅延レバー６０が回動自在に設けられている。この遅延レバー６０は、トーションバネ６１によって時計方向に付勢されている。
【００３０】
遅延レバー６０は、夜景撮影モードにおいては時計方向への付勢が許容されており、その先端部６０ａが扇状突起３２ｃの円弧状面３２ｄに当接している（図７（Ａ））。したがって、シャッタボタン１７の押下操作に伴って動作するシャッタ駆動レバー４５によってシャッタ羽根３２が蹴飛ばされると、シャッタ羽根３２が露光開口３１ａを開いた状態で遅延レバー６０の先端部６０ａが溝３２ｅに入り、シャッタ羽根３２の露光開口３１ａの閉じ方向への戻りを阻止する（図７（Ｂ））。
【００３１】
遅延レバー６０には、ピン６０ｂが立設されている。このピン６０ｂが、ガバナ機構の閉動作許容手段としての遅延解除レバー７０（図１０参照）によって一定時間経過後に図面左手側から右側へ向けて押され、遅延レバー６０はトーションバネ６１の付勢に抗して反時計方向に回動される。これにより、阻止されていたシャッタ羽根３２の閉じ方向への戻りが解除され、露光開口３１ａが閉じられる。すなわち、遅延レバー６０によってシャッタ羽根３２が止められている時間だけシャッタ速度が遅くなる。
【００３２】
図８に示すように、通常撮影モード及びストロボ撮影モードでは、シャッタ速度が約１／１２５秒である（Ａ）のに対し、夜景撮影モードでは遅延レバー６０によってシャッタ速度が約１／１５秒のスローシャッタになる（Ｂ）。また、このスローシャッタにおいても、露光開口３１ａの開き速度，閉じ速度に関しては、通常のシャッタ速度と変わらないから、フイルムの露光画面内で光量差（露光むら）が生じることがない。なお、通常撮影モード及びストロボ撮影モードでは撮影絞りをＦ８とする絞り板３４の絞り開口３４ａが、夜景撮影モード（Ｂ）では撮影光軸Ｌから待避されるから、撮影絞りは露光開口３１ａによるＦ５．６となる。
【００３３】
図９〜図１２において、遅延解除レバー７０を駆動するガバナ機構６５は、係止レバー４６と同軸に設けられたガバナレバー５２，増速ギア列６７，ガンギ車６８及びアンクル６９から構成され、それぞれシャッタ基部３１の上部に配置されている。ガバナレバー５２は、前記突起５２ａ，フック５２ｂの他、ギア部５２ｃが形成され、一端がフック５２ｂに当接されたトーションバネ７１により図１０中の反時計方向に付勢されている。
【００３４】
遅延解除レバー７０の上部には、扇状のガイド突起７２，ギア７３が一体に形成されている。ギア７３は、ガバナレバー５２のギア部５２ｃに噛合しているとともに、増速ギア列６７のギア６７ａに噛合している。ガイド突起７２は、釜状に細長く形成されたギア部５２ｃの下面を支持してこれをガイドし、ガバナレバー５２のギア部５２ｃとギア７３との噛合を確実にする。
【００３５】
シャッタ駆動レバー４５とガバナレバー５２との関係を裏側から示す図９において、シャッタチャージ状態では、ガバナレバー５２の突起５２ａがシャッタ駆動レバー４５の突起４５ｄに係合され、ガバナレバー５２はチャージ位置に係止されている（Ａ）。撮影時にシャッタ駆動レバー４５が図中時計方向に回動されると、突起４５ｄ，５２ａの係合が外れ、ガバナレバー５２が図中時計方向に回動される（Ｂ）。
【００３６】
これにより、図１０に示すシャッタチャージ状態からガバナレバー５２が図中反時計方向に回転し始めるが、ガンギ車６８の回転速度はアンクル６９によって調節されるから、遅延解除レバー７０の回転速度は遅延される。遅延解除レバー７０の時計方向への回転が進むと、遅延解除レバー７０がピン６０ｂを押して遅延レバー６０を反時計方向に回転させ、先端部６０ａが扇状突起３２ｃとの係合位置から待避し、シャッタ羽根３２の戻り動作が開始される（図１１参照）。
【００３７】
図１３〜図１８に示すように、遅延解除レバー７０の下方には、これと同軸に遅延禁止手段としての遅延切替えレバー７５が回動自在に取り付けられている。この遅延切替えレバー７５は、トーションバネ７６により時計方向に付勢されており、図１４及び図１８に示す夜景撮影モード時を除き、トーションバネ６１の付勢に抗して爪部７５ａがピン６０ｂを押して遅延レバー６０を扇状突起３２ｃと係合しない位置まで反時計方向に回動させている。
【００３８】
また、夜景撮影モード時には、前記シャッタ速度切替えレバー４０のバー４０ｂが遅延切替えレバー７５の下部に形成された突起７５ｂを押し、トーションバネ７６の付勢に抗して遅延切替えレバー７５を反時計方向に回動させる。これにより、遅延レバー６０がトーションバネ６１の付勢により扇状突起３２ｃと係合可能な位置まで時計方向に回動される。
【００３９】
モード切替えつまみ１５は、この背面の中央部からやや下方に立設されたボス１５ａを介して、カメラ本体１１の前壁に形成された長孔（図示せず）に上下動自在に取り付けられている。また、ボス１５ａよりやや下側方には、ピン１５ｂが立設されており、これがモード切替え板３８の孔３８ｇに係合している。また、前記突起２５ｉには、モード切替え板３８の突起３８ｂと係合する縁部２５ｊ，凹部２５ｋ，縁部２５ｌが形成されている。また、モード切替え板３８の背面には、パトローネ室２５ａの側面部に設けられた一対の端子７７との間にストロボ装置２３の充電スイッチ２３ａを構成する短絡用電気接片７８が設けられている（図１５〜図１８参照）。
【００４０】
このように構成されたカメラ１０を使用するには、フイルム装填を行った後、巻上げダイヤル２１を回して１コマ目をアパーチャ２５ｃにセットする。この時フイルムに従動してスプロケット２８が回転し、セットカム４７が図面反時計方向に回転する。セットカム４７と一体の半円板４８，４９が回転し、これに当接したフック４５ｂ，５２ｂが押されて、シャッタ駆動レバー４５，ガバナレバー５２が回転し、それぞれチャージ位置にセットされる。なお、クラッチ２９によりスプロケット２８はフイルム巻き上げ方向にのみ回転して逆回転しない。
【００４１】
レンズバリア開閉ノブ１６を開方向（図１の左方）にスライド操作して撮影レンズ１２を露呈させる。この直後には、モード切替えつまみ１５は最下方の位置にあり、突起３８ｂが縁部２５ｌに係合した通常撮影モードになっている。通常撮影モードからストロボ撮影モードに切り替えるには、モード切替えつまみ１５を上方へ移動させる。縁部２５ｌに係合していた突起３８ｂが凹部２５ｋと係合してモード切替え板３８がクリックストップされる（図１７参照）。この時、モード切替え板３８の移動に伴って短絡用電気接片７８が一対の端子７７を短絡させ、ストロボ装置２３の充電スイッチ２３ａがオンになってストロボ装置２３の充電動作が開始される。
【００４２】
夜景撮影モードに切り替えるには、モード切替えつまみ１５をストロボ撮影モードの位置から右旋回させる。図１８に示すように、ピン１５ｂが孔３８ｇの縁を押し、モード切替え板３８がストロボ撮影モードの位置から更に上方へ押し上げられる。これにより、突起３８ｂが凹部２５ｋから移動して上方の縁部２５ｊに係合してクリックストップされる。この状態でも充電スイッチ２３ａはオンのままである。
【００４３】
そして、弾性レバー３８ｄが絞り切替えレバー３９の棒状突起３９ａに係合して、これを押し上げるから、絞り切替えレバー３９が反時計方向に回動される。絞り板３４の絞り開口３４ａが撮影光軸Ｌから待避され、撮影絞りは絞り開口３４ａによるＦ８から露光開口３１ａによるＦ５．６に変更される。また、絞り切替えレバー３９の反時計方向への回動に伴って、シャッタ速度切替えレバー４０が時計方向に回動し、バー４０ｂが突起７５ｂを押す。
【００４４】
図１４に示すように、遅延切替えレバー７５が反時計方向に回動され、爪部７５ａによる遅延レバー６０の回動阻止が解除されるから、遅延レバー６０がトーションバネ６１の付勢により時計方向に回動される。これにより、図７（Ａ）に示すように、遅延レバー６０の先端部６０ａが扇状突起３２ｃの円弧状面３２ｄに当接される。
【００４５】
撮影者が充電完了表示窓１９でストロボ装置２３の充電完了を確認してからシャッタボタン１７を押すと、レリーズ部４６ｃがシャッタボタン１７の押圧片に押され、係止レバー４６が図５に示す状態から図６に示す状態に向かって図中反時計回りに回転する。これにより、突起４５ｃ，４６ｂの係合が外れてチャージ位置にあったシャッタ駆動レバー４５がトーションバネ５１の付勢によって反時計方向に回動する。
【００４６】
蹴飛ばしアーム４５ａがシャッタ羽根３２の爪部３２ａを蹴飛ばし、シャッタ羽根３２は図中時計方向に回動し、露光開口３１ａを開放する。これと同時に、棒状突起３２ｂがシンクロスイッチ３７をオンにするから、ストロボ発光部１４から被写体に向けてストロボ光が照射される。また、シャッタ羽根３２が露光開口３１ａを全開にした直後に、図７（Ｂ）に示すように、遅延レバー６０の先端部６０ａが溝３２ｅに入り込む。これにより、露光開口３１ａを閉じる方向へ戻ろうとするシャッタ羽根３２の扇状突起３２ｃの段差部に先端部６０ａが係合し、シャッタ羽根３２の戻り動作を阻止する。
【００４７】
一方、シャッタ駆動レバー４５の回動に伴って突起４５ｄ，５２ａの係合が外れ、ガバナレバー５２が図１０に示すチャージ位置から反時計方向に回動を始める。ガバナレバー５２が遅延解除レバー７０を回転するが、増速ギア６７，ガンギ車６８，アンクル６９から構成されるガバナ機構により、遅延解除レバー７０はゆっくりと回転する。
【００４８】
シャッタ駆動レバー４５の回動開始からほぼ一定時間経過（３０ｍｓ〜１２５ｍｓ）後に遅延解除レバー７０がピン６０ｂを押して遅延レバー６０を反時計方向に回転させる。これにより、遅延レバー６０の先端部６０ａが扇状突起３２ｃとの係合位置から待避し、シャッタ羽根３２が初期位置に戻って露光開口３１ａを閉じる（図７（Ｃ）参照）。この結果、夜景撮影モードにおけるシャッタ速度は、約１／３０秒〜１／８秒になる。
【００４９】
これにより、人物等の主要被写体はストロボ光によって適正露光されるとともに、光量値がＬＶ６〜７程度（ＩＳＯ４００の写真フイルムを使用時）の夕景であれば、ストロボ光が届かない背景もほぼ適正なレベル（１〜２ＥＶアンダー）で露光され、雰囲気のある写真を撮影することができる。また、シャッタ羽根３２の開き速度と閉じ速度は、いずれも通常撮影モード及びストロボ撮影モードと同じで高速であるから、１枚のシャッタ羽根３２でも露光画面に光量差を発生させず、露光むらのない写真を撮影できる。
【００５０】
通常撮影モード及びストロボ撮影モードでは、絞り板３４が撮影光軸Ｌに挿入されているとともに、遅延切替えレバー７５が遅延レバー６０のシャッタ羽根側への回動を阻止しているから、シャッタボタン１７の押下に伴うシャッタ駆動レバー４５による蹴飛ばし動作によってシャッタ羽根３４は露光開口３１ａを高速に開閉する。これにより、絞りＦ８，シャッタ速度約１／１２５秒で撮影が行われる。ストロボ撮影モードの場合には、露光開口３１ａの全開と同時にストロボ発光部１４からストロボ光が発光する。なお、晴天下の撮影では、約２ＥＶ程度のオーバー露光になるが、ネガフイルムのラチチュード範囲内であり実害はない。
【００５１】
撮影を中断又は終了する際には、レンズバリア開閉ノブ１６を閉方向（図１の右方）にスライド操作して撮影レンズ１２を閉じる。これにより、図１５に示すように、撮影モードリセットレバー４１の先端部４１ｂがローラ部３８ｆに係合してモード切替え板３８を下方に引き戻すから、端子７７から短絡用電気接片７８が離れ、ストロボ装置２３の充電スイッチ２３ａがオフになって電源のムダな消耗が防止される。
【００５２】
また、絞り板３４が初期位置に復帰して撮影光軸Ｌに挿入されるとともに、シャッタ速度切替えレバー４０のバー４０ｂによる突起７５ｂの押圧が解除されるから、遅延切替えレバー７５の爪部７５ａがピン６０ｂを押して遅延レバー６０を扇状突起３２ｃと係合しない待避位置まで回動させる。すなわち、レンズバリア開閉ノブ１６を開方向に移動して撮影レンズ１２を開いた直後には、常に通常撮影モードになるようにされる。
【００５３】
装填した写真フイルムの全てのコマ数を撮影した後、巻戻しボタン（図示せず）を押し込むと、巻上げダイヤル２１の溝２１ａと巻止め部４６ｄとの係合が外れて巻上げダイヤル２１のロックが解除される。次に、倒伏している巻戻し用回転クランク２０を引き起こしてから、これを回転させて撮影済みの写真フイルムをパトローネ本体に巻き戻す。この後、裏蓋を開ければ、パトローネ本体を回収できる。
【００５４】
次に、シャッタ駆動レバー４５の蹴飛ばしアーム４５ａによって蹴飛ばされる被蹴飛ばし部材とシャッタ羽根とを別々の部材とした実施形態を示す図１９において、被蹴飛ばし部材８０は前記シャッタ羽根３２から露光開口を閉じる部分を省略したような形状をしており、コイルバネ４４によって反時計方向に付勢されている。被蹴飛ばし部材８０には、前記シャッタ羽根３２と同様に、蹴飛ばしアーム４５ａによって蹴飛ばされる爪部８０ａと、溝８０ｂを挟んで円弧状面を有する扇状突起８０ｃとが設けられている。この扇状突起８０ｃの側面には、棒状突起８０ｄが立設されている。
【００５５】
被蹴飛ばし部材８０の側方には、シャッタ羽根８１を駆動する駆動レバー８２が回動軸８３を中心に回動自在に設けられている。この駆動レバー８２は、２本のアーム部８２ａ，８２ｂを有し、トーションバネ８４により時計方向に付勢されている。一方のへの字型に形成されたアーム部８２ａは、前記棒状突起８０ｄに当接されており、他方の細長いアーム部８２ｂの先端部に立設されたピン８５がシャッタ羽根８１の長孔８１ａに挿通されている。
【００５６】
シャッタレリーズ操作が行われる以前は、（Ａ）に示すように、棒状突起８０ｄがアーム部８２ａの山部８２ｃに当接している。シャッタレリーズ操作が行われ、被蹴飛ばし部材８０の爪部８０ａが蹴飛ばしアーム４５ａによって蹴飛ばされると、コイルバネ４４の付勢に抗して被蹴飛ばし部材８０が時計方向に回動され、棒状突起８０ｄがアーム部８２ａの山部８２ｃを強く押す。この力点である山部８２ｃが回動軸８３に近い位置にあり、シャッタ羽根８１への作用点であるピン８５が回動軸８３から遠い位置にあるため、棒状突起８０ｄが山部８２ｃを乗り越える時にピン８５はシャッタ羽根８１を高速に反時計方向に回動させる（Ｂ）。
【００５７】
棒状突起８０ｄが山部８２ｃを乗り越えた後、棒状突起８０ｄはこの軌道に近い円弧の裾野部８２ｄに当接するから、シャッタ羽根８１の開き方向への回動はほとんど停止する。この後、コイルバネ４４の付勢によって被蹴飛ばし部材８０が反時計方向に回動するとともに、トーションバネ８４の付勢によって駆動レバー８２が時計方向に回動し、シャッタ羽根８１が時計方向に回動して、（Ａ）に示すそれぞれの初期位置に復帰する。
【００５８】
次に、絞り板の別の実施形態を示す図２０において、絞り／フィルタ挿入手段としての絞り／フィルタ切替えレバー８９（前記絞り切替えレバー３９と同様の部材）に取り付けられた絞り板９０は、絞り開口９１が形成された自由端９０ａに透明プラスチックから形成したクロスフィルタ９２を一体的に固定したものである。クロスフィルタ９２は、点光源を中心に例えば６本の光の筋（光芒）を出す際に用いるフィルタであり、夜景の光が輝いている星のようにキラキラした写真を撮影できる。なお、図２０において、前記実施形態と同じ部材には同じ符号を付してある。
【００５９】
モード切替えつまみ１５をストロボ撮影モードの位置から右旋回させて夜景撮影モードにセットすると、モード切替え板３８がストロボ撮影モードの位置から更に上方へ押し上げられ、弾性レバー３８ｄが絞り／フィルタ切替えレバー８９の棒状突起８９ａに係合して、これを押し上げるから絞り／フィルタ切替えレバー８９が反時計方向に回動される。これにより、絞り開口９１の代わりにクロスフィルタ９２が撮影光軸Ｌに挿入される。なお、クロスフィルタの光芒の数や角度は任意に設定でき、例えば、４本の十字状であってよい。また、クロスフィルタの代わりにソフトフィルタやフォギーフィルタ等の各種フィルタを用いてもよい。
【００６０】
以上説明した実施形態では、ＩＳＯ４００の写真フイルムを使用した場合であるが、ＩＳＯ８００の写真フイルムを使用した場合には、通常撮影モード及びストロボ撮影モードでは絞りＦ１１，シャッタ速度約１／１２５秒とし、夜景撮影モードでは絞りＦ６．７，シャッタ速度約１／１５秒とするのが好ましい。この場合、通常撮影モード及びストロボ撮影モードでは光量値ＬＶ１１，夜景撮影モードでは光量値ＬＶ６．５に対応し、約４．５ＥＶの露光差をとることができるから、より幅広いシーンで適正露光の写真を撮影できる。
【００６１】
また、上記実施形態では、シャッタチャージを巻き上げで移送される写真フイルムに従動するスプロケットによって行ったが、巻上げダイヤルの回転によって直接に行うようにしてもよい。また、フイルム搬送及びシャッタチャージをモータによって行ってもよい。
【００６２】
また、上記実施形態では、シャッタ羽根の戻り動作を遅延させるためにガバナ機構を用いたが、例えば機械式や電気式のタイマーを用いて、シャッタ駆動レバーが蹴飛ばし動作を行ってから一定時間経過後に遅延レバーを挿入位置から待避位置に移動させるようにしてもよい。
【００６３】
また、上記実施形態では、スローシャッタ時には、夜景撮影に対応して絞りを開いたが、逆に絞りを絞ることで近接撮影に対応するようにしてもよい。すなわち、シャッタ速度を遅くした分だけ絞りを絞ることで適正露出の写真を写すことができる。例えば、焦点距離ｆ＝２８ｍｍの撮影レンズを用いるとともにＩＳＯ４００のネガフイルムを用いた場合、通常撮影モードではシャッタ速度１／１２５秒，絞りＦ８（ＥＶ値＝１３，ＬＶ値１１）として１．２ｍ以遠にピントが合い、近接撮影モードではシャッタ速度１／１５秒，絞りＦ２２（ＥＶ値＝１３，ＬＶ値１１）として０．５５ｍ以遠にピントが合う。
【００６４】
また、上記実施形態では、ストロボ装置の充電スイッチを構成する一対の端子をパトローネ室の側面に設けたが、前記一対の端子をストロボ装置のストロボ基板に実装し、これを短絡用電気接片で短絡するようにしてもよい。また、ストロボ装置のストロボ基板に小型のスイッチを設け、これをモード切替え板の背面に設けた突起でオン／オフするようにしてもよい。また、ストロボ基板とは別体に小型のスイッチを設け、モード切替え板に設けた突起等でオン／オフするようにしてもよい。また、上記実施形態は、簡易型のカメラであったが、本発明はこれに限定されることなく、レンズ付きフイルムユニットでもよい。
【００６５】
【発明の効果】
以上のように、本発明のシャッタ装置によれば、シャッタ羽根が露光開口を開いた状態でシャッタ羽根を係止してシャッタ羽根による露光開口の閉じ動作を阻止するとともに、シャッタ羽根が蹴飛ばされてから所定の遅延時間経過後にシャッタ羽根の係止を解除して露光開口の閉じ動作を許容するようにしたので、シャッタ羽根の露光開口の開き動作と閉じ動作そのものは変化させることなく、その中間でシャッタ羽根の動きを止めてスローシャッタを実現できる。この結果、露光むらを生じさせることなくローコストにシャッタ速度を遅くすることができる。
【００６６】
また、シャッタ羽根が露光開口を開いた状態で被蹴飛ばし部材の動きを止めてシャッタ羽根による露光開口の閉じ動作を阻止するとともに、被蹴飛ばし部材が蹴飛ばされてから所定の遅延時間経過後に被蹴飛ばし部材の動きを許容するようにしたので、シャッタ羽根の露光開口の開き動作と閉じ動作そのものは変化させることなく、その中間でシャッタ羽根の動きを止めてスローシャッタを実現できる。この結果、露光むらを生じさせることなくローコストにシャッタ速度を遅くすることができる。
【００６７】
また、露光開口の閉じ動作阻止を禁止して遅延なくシャッタ羽根による露光開口の開閉を行う遅延禁止手段を設けたので、シャッタ速度を高速，低速に切り替えて撮影でき、日中，夜景のそれぞれに対応して適正露光を得ることができる。また、露光開口の閉じ動作阻止が禁止されている状態では絞りを撮影光軸に挿入し、露光開口の閉じ動作阻止が許容されている状態では絞りの代わりに所定のフィルタを撮影光軸に挿入するので、日中等の被写体輝度が高いシーンでは小絞りかつ高速シャッタでシャープな撮影ができ、また夜景等の輝度が低いシーンでは大絞りかつ低速シャッタで適正露光の撮影ができるとともにフィルタにより特殊な効果を演出した夜景写真を撮影できる。
【図面の簡単な説明】
【図１】本発明を実施したカメラの外観を示す斜視図である。
【図２】図１に示すカメラの主要な内部構造を示す分解斜視図である。
【図３】シャッタ装置の基本的な構成を示す斜視図である。
【図４】シャッタ装置をカメラの正面側から示す平面図である。
【図５】チャージ状態のシャッタ装置を上方から示す平面図である。
【図６】レリーズ完了状態のシャッタ装置を上方から示す平面図である。
【図７】シャッタ駆動レバーとシャッタ羽根と遅延レバーとの関係を示す説明図である。
【図８】通常撮影モード及びストロボ撮影モード（Ａ）と夜景撮影モード（Ｂ）におけるシャッタ羽根の各動きを示すグラフである。
【図９】シャッタ駆動レバーとガバナレバーとの関係を裏側から示す説明図である。
【図１０】チャージ状態のガバナ機構を示す平面図である。
【図１１】レリーズ完了状態のガバナ機構を示す平面図である。
【図１２】ガバナ機構のガンギ車とアンクルとの関係を示す平面図である。
【図１３】通常撮影モード及びストロボ撮影モードにおける遅延レバーと遅延切替えレバー７５との関係を示す平面図である。
【図１４】夜景撮影モードにおける遅延レバーと遅延切替えレバーとの関係を示す平面図である。
【図１５】レンズバリアを閉じた状態におけるモード切替えつまみ，モード切替え板，絞り板，遅延レバー等の関係を示す説明図である。
【図１６】レンズバリアを開いた直後におけるモード切替えつまみ，モード切替え板，絞り板，遅延レバー等の関係を示す説明図である。
【図１７】ストロボ撮影モードにおけるモード切替えつまみ，モード切替え板，絞り板，遅延レバー等の関係を示す説明図である。
【図１８】夜景撮影モードにおけるモード切替えつまみ，モード切替え板，絞り板，遅延レバー等の関係を示す説明図である。
【図１９】別のシャッタ羽根の実施形態を示す説明図である。
【図２０】クロスフィルタを設けた絞り板を示す説明図である。
【符号の説明】
１０　カメラ
１５　モード切替えつまみ
１６　レンズバリア開閉ノブ
３０　シャッタユニット
３１ａ　露光開口
３２，８１　シャッタ羽根
３２ｃ，８０ｃ　扇状突起
３４，９０　絞り板
３４ａ，９１　絞り開口
３８　モード切替え板
４１　撮影モードリセットレバー
４２　レンズバリア
４５　シャッタ駆動レバー
４５ａ　蹴飛ばしアーム
４６　係止レバー
４７　セットカム
５２　ガバナレバー
６０　遅延レバー
６５　ガバナ機構
７０　遅延解除レバー
７５　遅延切替えレバー
８０　被蹴飛ばし部材
８２　駆動レバー８２
９２　クロスフィルタ
【図１】
2004069781.tif 000003
【図２】
2004069781.tif 000004
【図３】
2004069781.tif 000005
【図４】
2004069781.tif 000006
【図５】
2004069781.tif 000007
【図６】
2004069781.tif 000008
【図７】
2004069781.tif 000009
【図８】
2004069781.tif 000010
【図９】
2004069781.tif 000011
【図１０】
2004069781.tif 000012
【図１１】
2004069781.tif 000013
【図１２】
2004069781.tif 000014
【図１３】
2004069781.tif 000015
【図１４】
2004069781.tif 000016
【図１５】
2004069781.tif 000017
【図１６】
2004069781.tif 000018
【図１７】
2004069781.tif 000019
【図１８】
2004069781.tif 000020
【図１９】
2004069781.tif 000021
【図２０】
2004069781.tif 000022